(57)【要約】【課題】飛散を抑えることができる反応遅延性生石灰とその製造方法を提供する。【解決手段】反応遅延性生石灰１の粒状物１０を結合剤（澱粉）２で結合して、顆粒にしたことを特徴する。もしくは、反応遅延性生石灰１の粒状物１０を、結合剤（澱粉）２と有機溶剤との混合溶液で結合して、顆粒状にしたことを特徴とする。あるいは、脂肪酸１１で被覆された反応遅延性生石灰１の粒状物１０を、澱粉２とメタノール又はエタノールとの混合溶液で結合して、顆粒状にしたことを特徴とする。【選択図】  図５
2005126266.tif 000002
【特許請求の範囲】
【請求項１】
反応遅延性生石灰の粒状物を結合剤で結合して、顆粒状にしたことを特徴とする反応遅延性生石灰。
【請求項２】
反応遅延性生石灰の粒状物を澱粉で結合して、顆粒状にしたことを特徴とする反応遅延性生石灰。
【請求項３】
反応遅延性生石灰の粒状物を、澱粉と有機溶剤との混合溶液で結合して、顆粒状にしたことを特徴とする反応遅延性生石灰。
【請求項４】
脂肪酸で被覆された反応遅延性生石灰の粒状物を、澱粉とメタノール又はエタノールとの混合溶液で結合して、顆粒状にしたことを特徴とする反応遅延性生石灰。
【請求項５】
反応遅延性生石灰の粒状物を被覆した脂肪酸層に、澱粉の長鎖が絡み合って、前記粒状物を結合して、顆粒状にしたことを特徴とする反応遅延性生石灰。
【請求項６】
反応遅延性生石灰の粒状物に結合剤を混合して、顆粒状物に形成したことを特徴とする反応遅延性生石灰の製造方法。
【請求項７】
反応遅延性生石灰の粒状物に澱粉を混合して、顆粒状物に形成したことを特徴とする反応遅延性生石灰の製造方法。
【請求項８】
反応遅延性生石灰の粒状物に、澱粉とメタノールとの混合溶液を混合して、顆粒状物に形成したことを特徴とする反応遅延性生石灰の製造方法。
【請求項９】
反応遅延性生石灰の粒状物に、澱粉とエタノールとの混合溶液を混合して、顆粒状物に形成したことを特徴とする反応遅延性生石灰の製造方法。
【請求項１０】
脂肪酸で被覆された反応遅延性生石灰の粒状物に、澱粉とメタノール又はエタノールとの混合溶液を混合して、顆粒状物にしたことを特徴とする反応遅延性生石灰の製造方法。
【請求項１１】
請求項１乃至請求項５のいずれかに記載の反応遅延性生石灰を用いて油汚染土壌を処理する処理システム。
【請求項１２】
請求項１乃至請求項５のいずれかに記載の反応遅延性生石灰を用いて土砂を改質処理する処理システム。
【発明の詳細な説明】
【技術分野】
【０００１】
本発明は、汚染された土壌を良質にするために添加剤として使用される反応遅延性生石灰とその製造方法に関するものである。
【背景技術】
【０００２】
使用済みの油を無害化するために、生石灰が用いられている。この生石灰は水との反応が早く進行しやすいので、その反応を遅延させるように工夫された反応遅延性の生石灰が提案されている（例えば、特許文献１参照）。
【０００３】
【特許文献１】特開２００１−２４０４３６号公報
【発明の開示】
【発明が解決しようとする課題】
【０００４】
近年、工場跡地の再開発等に伴い、重金属や揮発性有機化合物、さらには油類といった特定有害物質等による土壌汚染の問題が顕在化してきており、健康に対する影響の懸念から土壌汚染の対策措置を確立することが社会的に強く要請され、２００３年２月、土壌汚染対策法が施行された。この土壌汚染対策法では、有害物質使用施設を廃止する際の土地調査が義務付けられ、その他、使用中の施設であっても、土壌汚染による健康被害の生じる恐れがある土地に対し、調査を命ずることができる。調査の結果、汚染が発覚した土地は汚染区域として指定区域台帳に記載され、土地所有者は必要な対策措置を講じなければならない。
【０００５】
一方で、油類による土壌汚染に関しては，上記対策法の対象には含まれていないが、油膜及び油臭が生活環境に影響を与え、土壌汚染として認識されることが多いため、今後特定有害物質として何らかの基準が指定される可能性は極めて高いと考えられる。このような汚染土壌中の油を処理するためには、その油処理剤として前述した反応遅延性生石灰を使用することが有効である。ところが、油等により汚染された場所は、その油の拡散性により、汚染の範囲が大きい場合が多く、処理すべき汚染土壌の量が増大することがある。このような場合、汚染土壌処理機械により、汚染土壌に前述した反応遅延性生石灰を添加混合し、生石灰と汚染土壌中の水との中和反応で生じる熱によって揮発性の油分を土壌から揮発させたり、また、生石灰に油分を吸着させる等の処理が行われるが、処置すべき汚染土壌の量に応じて反応遅延性生石灰の使用量も増加する。この反応遅延性生石灰は、微粒子であるため、例えば前述した汚染土壌処理機械への投入時、飛散しやすく、汚染土壌処理機械およびその周辺に飛散する。特に、風が強い等の気象条件の場合、反応遅延性生石灰の飛散を防止するために、汚染土壌処理作業を中断しなければならなくなることがある。
【０００６】
本発明は、上記の事柄に基づいてなされたもので、その目的は、飛散を抑えることができる反応遅延性生石灰とその製造方法を提供することにある。
【課題を解決するための手段】
【０００７】
本発明は上記の目的を達成するために、第１の発明は、反応遅延性生石灰の粒状物を結合剤で結合して、顆粒状にしたことを特徴とする反応遅延性生石灰にある。
【０００８】
また、第２の発明は、反応遅延性生石灰の粒状物を澱粉で結合して、顆粒状にしたことを特徴とする反応遅延性生石灰にある。
【０００９】
更に、第３の発明は、反応遅延性生石灰の粒状物を、澱粉と有機溶剤との混合溶液で結合して、顆粒状にしたことを特徴とする反応遅延性生石灰にある。
【００１０】
また、第４の発明は、脂肪酸で被覆された反応遅延性生石灰の粒状物を、澱粉とメタノール又はエタノールとの混合溶液で結合して、顆粒状にしたことを特徴とする反応遅延性生石灰にある。
【００１１】
更に、第５の発明は、反応遅延性生石灰の粒状物を被覆した脂肪酸層に、澱粉の長鎖が絡み合って、前記粒状物を結合して、顆粒状にしたことを特徴とする反応遅延性生石灰にある。
【００１２】
また、第６の発明は、反応遅延性生石灰の粒状物に結合剤を混合して、顆粒状物に形成したことを特徴とする反応遅延性生石灰の製造方法にある。
【００１３】
更に、第７の発明は、反応遅延性生石灰の粒状物に澱粉を混合して、顆粒状物に形成したことを特徴とする反応遅延性生石灰の製造方法にある。
【００１４】
また、第８の発明は、反応遅延性生石灰の粒状物に、澱粉とメタノールとの混合溶液を混合して、顆粒状物に形成したことを特徴とする反応遅延性生石灰の製造方法にある。
【００１５】
更に、第９の発明は、反応遅延性生石灰の粒状物に、澱粉とエタノールとの混合溶液を混合して、顆粒状物に形成したことを特徴とする反応遅延性生石灰の製造方法にある。
【００１６】
また、第１０の発明は、脂肪酸で被覆された反応遅延性生石灰の粒状物に、澱粉とメタノール又はエタノールとの混合溶液を混合して、顆粒状物にしたことを特徴とする反応遅延性生石灰の製造方法にある。
【００１７】
更に、第１１の発明は、第１乃至第５の発明における反応遅延性生石灰を用いて油汚染土壌を処理する処理システムにある。
【００１８】
また、第１２の発明は、第１乃至第５の発明における反応遅延性生石灰を用いて土砂を改質処理する処理システムにある。
【発明の効果】
【００１９】
本発明の反応遅延性生石灰によれば、その飛散を極力抑えることができるので、気象条件に影響されずに、汚染現場においても、汚染土壌の処理作業を遂行することができる。その結果、その作業性を向上させることができる。また、飛散による周辺への汚れが防止され、環境性が良好である。
【００２０】
また、本発明の反応遅延性生石灰の製造方法によれば、既設の混合機を使用し得るので、製造設備費が安価である。
【００２１】
更に、本発明の処理システムによれば、生石灰による飛散汚れを抑えて、汚染現場周辺の住民に迷惑を掛けることなく汚染土壌を処理することができるので、周囲環境を改善することができる。
【発明を実施するための最良の形態】
【００２２】
以下、本発明の反応遅延性生石灰およびその製造方法の一実施の形態を図面を用いて説明する。
【００２３】
図１は本発明の反応遅延性生石灰の製造方法の一実施の形態を示す工程図で、この図において、例えば粒径が１５０μｍアンダで表面が例えばステアリン酸、オレイン酸等の炭素１２から２４の単体の脂肪酸、もしくは少なくともこれらの２種を含む脂肪酸で被覆された反応遅延性生石灰１を、混合機に投入する。次に澱粉２を混合機に投入し、この澱粉２と反応遅延性生石灰１とを符号３で示す１次混合を行う。
【００２４】
前述した反応遅延性生石灰１は、図２に示すように紛状の生石灰の粒子１０の外周に、その反応遅延を行う脂肪酸１１の被覆層が形成されている。また、この反応遅延性生石灰１に混合される澱粉２は、長鎖形状で、且つ分子量が数万から数千万と言われている例えば馬鈴薯澱粉、タピオカ澱粉、コーンスターチ澱粉、小麦澱粉、甘藷澱粉、サゴ澱粉等を使用することができる。更に、この澱粉２としては、前述した澱粉を加水分解の極めて初期のものに相当し、比較的水に溶解しやすい性質とした溶性澱粉も用いることができる。
【００２５】
次に、混合機によって混合された澱粉２と反応遅延性生石灰１との混合部物に、メタノール４を投入して、これらを混合機で２次混合６を行う。この２次混合により、反応遅延性生石灰１における脂肪酸１１の外表層１１Ａが図３に示すようにメタノール４によって溶解し、この溶解した脂肪酸１１の外表層１１Ａに、図４に示すように澱粉２における長鎖状の分子２Ａが入りこむ。
【００２６】
次に、混合機を停止し、メタノール４を蒸発される工程６を行うことにより、溶解していた反応遅延性生石灰１における脂肪酸１１の外表層１１Ａが固化する。このとき、澱粉２の長鎖状の分子２Ａの一部は、図４に示すように反応遅延性生石灰１における脂肪酸１１の外表層１１Ａとの連結部となり、また、澱粉２の長鎖状の分子２Ａの他の部分は、他の反応遅延性生石灰１における脂肪酸１１の外表層１１Ａとの連結部となる。また、前述した澱粉２の長鎖状の分子２Ａにおける反応遅延性生石灰１の脂肪酸１１の外表層１１Ａと連結しない部分は、各反応遅延性生石灰１を顆粒状に形成するための繋ぎあわせる手の機能として作用する。
【００２７】
上述した工程により、粉状の反応遅延性生石灰１は、図５に示すように適当な強度をもって結合して、顆粒状に形成される。即ち、本発明の反応遅延性生石灰における粒子間強度は、例えば、保管のために、袋内にいれても、顆粒状態が維持される程度の強度を有しており、汚染土壌との混合攪拌時には、顆粒状態が壊れるが、通常時は、顆粒の形状を保つことができる。また、本発明の反応遅延性生石灰は、顆粒の状態に形成されるので、粉状の反応遅延性生石灰１に比べて粒子を大きくすることができるので、例えば、油汚染土壌の処理剤として使用する場合にその飛散を少なくすることができる。
【００２８】
なお、上述の製造方法においては、澱粉２の混合とメタノールの混合とを分けて処理したが、メタノールに澱粉を混入した溶液と反応遅延性生石灰とを混合することも可能である。
【００２９】
本発明の顆粒状の反応遅延性生石灰は、澱粉の長鎖が反応遅延性生石灰の粒子間を接合しているので、長鎖はその澱粉の添加量により、調整することができる。また、本発明の顆粒状の反応遅延性生石灰における粒子間強度は、例えば、保管のために、袋内にいれても、顆粒状態が維持される程度の強度を有している。即ち、汚染土壌との混合攪拌時には、顆粒状態が壊れるが、通常時は、顆粒の形状を保つ。更に、結合剤として、澱粉を使用しているので、人の健康面への安全性が高い。
【００３０】
図６は本発明の反応遅延性生石灰を用いて油汚染土壌を処理する処理システムの一実施の形態の全体構成を示す正面図で、この図６において、１００は汚染土壌を処理する第１の処理機で、この第１の処理機１は例えば油圧ショベルＳのバケット等の作業具により投入される浄化処理対象となる土砂を受入れて、その投入された土砂に本発明の反応遅延性生石灰を添加し混合する。
【００３１】
２００は第１の処理機１００から搬出された混合土砂中の揮発性の油分を揮発処理する第２の処理機で、この第２の処理機は２００は内部に略密閉空間を形成しているテント状の包囲手段２０１と、この包囲手段２０１内に設けたコンベア２０２と、包囲手段２０１に接続され、揮発した油分を処理する触媒分解装置２０３とで構成されている。３００は処理された清浄土を示す。
【００３２】
前述した第１の処理機１００の構成を図７および図８を用いて説明する。図７は第１の処理機１００の正面図、図８は第１の処理機１００における走行体（後述）、本体フレーム（後述）、土砂ホッパ（後述）、パワーユニット（後述）等を省略した形態を示す正面図である。図７において、１０１は投入された土砂を粒度に応じて選別する篩装置、１０２は篩装置１０１により選別された土砂を受け入れる土砂ホッパ、１０３は土砂ホッパ１０２から導入された土砂に添加剤としての反応遅延性生石灰を混合して後方側（図２中右側、以下適宜、単に後方側という）へ排出する混合装置、１０４は土砂ホッパ１０２に受入れた土砂を前記混合装置１０３へと搬送して導入する搬入コンベア、１０５は添加剤を供給するための添加剤供給装置、１０６は第１の処理機１００における走行体、１０７は前記混合装置１０３で混合され後方側へ排出された混合処理土を受け入れて第１の処理機１００の後方側に搬送し排出する搬出コンベアである。
【００３３】
前記走行体１０６は、本体フレーム１０８の両側に設けた無限軌道履帯１０９とを備えている。
【００３４】
上記の第１の処理機１００は、油圧ショベル等によって汚染土壌が間欠的に投入される場合等を想定し、土砂投入時の衝撃荷重等により車体が不安定になることを防止するために、無限軌道履帯１０９を備えたいわゆるクローラ式の走行手段を例に挙げたが、例えば、コンベア等を用いて連続的に土砂が投入される場合等においては、いわゆるホイール式の走行手段に代えて使用することも可能である。また、自走式ではなく固定式の構成のものでも良い。
【００３５】
次に前述した各構成部分の詳細を説明する。前記篩装置１０１は、上下方向に振動可能な振動篩で、この振動篩１０１は前記土砂ホッパ１０２とともに、前記本体フレーム１０８の前方側（図２中左側、以下適宜、単に前方側という）端部の上方に搭載されている。詳細には、篩装置１０１は本体フレーム１０８上に設けられた支持部材１１０に、ばね１１１を介して弾性的に支持された支持枠体１１２と、この支持枠体１１２に装着された格子部材１１３と、この格子部材１１３の振動軸（図示せず）を内部に挿通した回転ドラム１１４と、この回転ドラム１１４を回転駆動させるための駆動力を発生する加振用油圧モータ１１５とを有している。
【００３６】
そして、加振用油圧モータ１１５の駆動力をベルト１１６を介して回転ドラム１１４に伝達し回転させることにより、回転ドラム１１４の内部に挿通された格子部材１１３の振動軸が振動する。これにより、例えば油圧ショベルＳ等によって篩装置１０１に投入された土砂は、振動による作用も加わり、この格子部材１１３の目よりも小さな土砂成分を下方へ導き、例えばコンクリート、岩石、或いは金属等といった格子部材１１３の目よりも大きな固形異物が除去されるようになっている。この選別によって格子部材１１３上に残存した固形異物は、格子部材１１３の傾斜に沿って前方に移動して落下する。
【００３７】
なお、作業現場の環境や土砂の性質等によっては、大きな固形異物が存在しない場合がある。その場合は、篩装置１０１を設ける必要はなく、土砂ホッパ１０２のみでもよい。
【００３８】
次に、搬入コンベア１０４の構成について説明する。前記搬入コンベア１０４は、前記本体フレーム１０８の前方側端部に搭載されており、前記土砂ホッパ１０２及び前記篩装置１０２の略直下に位置している。この搬入コンベア１０４は、上流側（図２中左側）が低く、下流側（図２中右側）が高くなっており、コンベアフレーム１１７と、このコンベアフレーム１１７に支持された搬入コンベア用油圧モータ（図示せず）で駆動される駆動輪と従動輪との間に巻回して設けられた搬送ベルト１１８とを備えている。
【００３９】
次に、添加剤供給装置１０５の構成について説明する。前記添加剤供給装置１０５は、前記篩装置１０１よりも後方側に位置しており、前記本体フレーム１０８の長手方向ほぼ中間部上に搭載されている。添加剤供給装置１０５は、詳細には前記本体フレーム１０８上に立設した複数本（例えば４本）の支柱１１９上に設けた略長方形の台板１２０に支持されている。この添加剤供給装置１０５は、所定量の添加剤を貯留する貯留タンク１２１と、この貯留タンク１２１の下部に連設され、所定量ずつ添加材を供給するフィーダ１２２とを備えている。
【００４０】
前記貯留タンク１２１は、全体が概略円筒形状で内部に添加剤を貯留する空間を有し、上下方向に伸縮するように構成されている。前記貯留タンク１２１の天板部１２３の中央部には概略円形の開口（図示せず）が形成されている。この開口の上部には両開き可能な開閉蓋１２４が設けられている。貯留タンク１２１内に添加剤を充填するときには、開閉蓋１２４を開き、添加剤を備えたフレキシブルコンテナを例えば別途用意したクレーン等で吊り上げ、前記開口から貯留タンク１２１の内部に挿入し、フレキシブルコンテナ内部の添加剤を貯留タンク１２１内に供給する。このとき、添加剤である反応遅延性生石灰は、顆粒状に形成されているので、その飛散が抑えられる。
【００４１】
前記フィーダ１２２は、定量供給部として作用するロータ（図示せず）を備えており、このロータを例えば可変速電動モータ等からなるフィーダ用モータ（図示せず）によって回転駆動することにより、その回転速度に応じた量の添加剤を、搬入コンベア１０４上の土砂に添加するようになっている。
【００４２】
次に、前述した混合装置１０３の構成を図８を用いて説明する。混合装置１０３は図７における本体フレーム１０８の長手方向中間部に設けられており、略水平方向に配置された長方形状容器からなる混合装置本体１２５と、この混合装置本体１２５の前方側（図７中左側）上部に設けられ、前記搬入コンベア１０４の前記搬送ベルト１１８で搬送されてきた土砂及び添加剤を導入する導入部１２６と、前記混合装置本体１２５の後方側下部に設けられた排出部１２７と、混合装置本体１２５内に互いに平行に設けられた回転軸とこの回転軸に設けた羽根（攪拌翼、パドル）とからパドルミキサ１２８とを備え、パドルミキサ１２８の回転駆動により、混合装置本体１２５内に導かれた土砂及び添加剤が撹拌され均一に混合されながら排出部１２７側に向けて移送されるようになっている。
【００４３】
以上のようにして、混合装置本体１２５の導入部１２６から導入された土砂と添加剤とがパドルミキサ１２８の作用で均一に撹拌・混合されると共に、排出部１２７に向けて移送され、排出部１２７から自重の作用で前記搬出コンベア１０７上に排出されるようになっている。
【００４４】
次に、前述した搬出コンベア１０７の構成を図７および図８を用いて説明する。前記搬出コンベア１０７は、排出側（図７中右側）端部近傍の部分が、前記混合装置１０３より後方側（図７中右側）に位置し前記本体フレーム１０８上にパワーユニット積載部材１２９を介して搭載されたパワーユニット１３０に支持部材（図示省略）を介し吊り下げ支持されている。また、排出側と反対側端部近傍の部分及び搬送方向中間部は、前記本体フレーム１０８よりも下方に位置しており、排出方向に小距離だけ水平に延在した後、パワーユニット１３０の外縁部（後端部）の下方空間で、排出方向（図７中右方）に斜め上方に立ち上がるように延在配置されている。搬出コンベア１０７は前記搬入コンベア１０４と同様、コンベアフレーム１３１と、このコンベアフレーム１３１に支持され、搬出コンベア用油圧モータで駆動される駆動輪と従動輪との間に巻回して設けられた搬送ベルト１３２を備えている。
【００４５】
以上のような構造により、搬出コンベア１０７は、前記混合装置１０３から搬送ベルト１３２上に落下してきた混合処理土を搬送するようになっている。
【００４６】
ここで、前記篩装置１０１、混合装置１０３、搬入コンベア１０４、及び搬出コンベア１０７、無限軌道履帯１０９は、この自走式汚染土壌混合処理機械に備えられる動力源、すなわち原動機としてのエンジン（図示せず）及びこのエンジンによって駆動される少なくとも１つの油圧ポンプ（図示せず）からの動力によって駆動される。前記油圧ポンプからの圧油は、当該圧油の方向及び流量を制御するコントロールバルブを備えた制御弁装置（図示せず）を介し、前記篩装置１０１、混合装置１０３、搬入コンベア１０４、搬出コンベア１０７、及び無限軌道履帯１０９にそれぞれ対応する前記加振用油圧モータ、混合装置用油圧モータ、搬入コンベア用油圧モータ、搬出コンベア用油圧モータ、及び走行用油圧モータへと供給され、これによって対応する油圧モータが回転駆動する。そして、上記エンジン、油圧ポンプ、及び制御弁装置は、いずれも、前記パワーユニット１３０内に設けられている。
【００４７】
このパワーユニット１３０の前方側（図７中左側）の領域には、操作者が搭乗する区画である運転席（図示せず）が設けられている。この運転席には、前記制御弁装置に備えられた左・右走行用コントロールバルブ（図示せず）を切り換え操作して前記左・右走行用油圧モータの駆動速度を制御するための操作手段としての左・右操作レバー（図示せず）が設けられている。
【００４８】
上述した第１の処理機１００は、油によって汚染された土砂が生石灰と混合処理され、第２の処理機２００に搬出される。第２の処理機２００内に搬送された混合処理土は包囲手段２０１内のベルトコンベア２０２に投入される。このベルトコンベア２０２は、混合処理土を養生させ、揮発促進を行わせる機能を有しているとともに、処理土を第２の処理機２００外に搬出する機能を有している。
【００４９】
第２の処理機２００を構成する包囲手段２０１には、包囲手段２０１内で揮発した油分を処理するための触媒分解装置２０３が設置されており、この触媒分解装置２０３により揮発したガスの吸着分解処理が行われる。触媒分解装置２０３としては、活性炭が充填された油吸着装置を用いることができる。
【００５０】
次に、上述した本発明の添加剤を用いた油汚染土壌の処理システムの一実施の形態による処理方法を説明する。まず、例えば油圧ショベルＳ等により、油分によって汚染された土壌を掘削し、第１の処理機１００における篩装置１０１に投入すると、大きなレキなどが格子部材１１３で除去され、格子部材１１３を通過した土砂が下方の土砂ホッパ１０２に導入される。
【００５１】
土砂ホッパ１０２で受け入れられた土壌は、その下方の搬入コンベア１０４の搬送ベルト１１８上に載置され、後方側へ向かって搬送される。そして、搬入コンベア１０４の搬送方向下流側端部近傍にて、その搬送土砂の表面に貯留タンク１２１からフィーダ１２２を介して所定量の添加剤が加えられ、これらの混合土砂が混合装置１０３へと導入される。
【００５２】
混合装置１０３へ導入された汚染土砂及び添加剤は、混合装置本体１２５内のパドルミキサ１２８で均一に撹拌混合される。このとき、添加剤、即ち油脂酸で被覆された反応遅延性生石灰は、その被覆層が破壊され、生石灰は土壌と接触する。それにより、下記の式で表される添加剤の主成分である生石灰と土砂中に含まれる水分との反応が開始され、水和反応熱を発生する。
【００５３】
ＣａＯ ＋ Ｈ２Ｏ → Ｃａ（ＯＨ）２ ＋ 反応熱
この反応熱によって土壌全体が加熱されることによって、汚染された土砂中に含まれる油分の内、揮発性の高い成分については揮発・蒸散分離が行われ、土壌から除去される。また、生石灰は土砂中に含まれる水分と反応することにより消石灰となるが、消石灰は非常に微細な粒子であるため、その比表面積は非常に大きなものとなる。したがって、土砂中に残留したままである不揮発成分についてはパドルミキサ１２８による撹拌混合時の機械的作用を利用して消石灰に付着移行させる。
【００５４】
以上のように処理された土砂が１次処理土として、排出コンベア１０７から排出され、第２の処理機２００を構成する包囲手段２０１内のベルトコンベア２０２に搬入される。
【００５５】
ベルトコンベア２０２に投入された１次処理土は、ベルトコンベア２０２により、その外部に搬送される間、油分の揮発成分が前記反応熱により揮発除去される。その揮発した油分は触媒分解装置２０３において分解処理される。
【００５６】
なお、上述の実施の形態においては、第１の処理機１００の後段に、油分の揮発促進および回収を行う第２に処理機２００を設けたが、この第２の処理機２を第１の処理機１００に搭載することも可能である。この実施の形態によれば、各処理機の設置空間が小さくなるので、狭隘地での処理も可能である。
【００５７】
上述の実施の形態では、油汚染土壌を無害化する例を示したが、土質改良にも使用することができる。
【実施例１】
【００５８】
前述した１次混合に使用する反応遅延性石灰としては、ステアリン酸で表面が被覆され、粒径が１５０μｍアンダのものを、澱粉として溶性澱粉を、また、２次混合にメタノールを使用した。これらを図１に示す工程で処理を行った。
反応遅延性生石灰を１０ｇ、２００ｍLのビーカーに入れた後、溶性澱粉０．５ｇを添加して、これらをガラス棒でよくかき混ぜた。
次に、上記の混合物にメタノールを約５ｍL入れて攪拌を行なった。しばらくすると最大粒径数ｍｍの顆粒物が観察された。メタノールの蒸発が完了するまで放置してから顆粒物の評価を行った。
この顆粒物は、ガラス棒で押しても簡単には壊れなかった。しかし、さらに強く押すといくつかに分割された。これらを１５０μアンダーにするには、分割した粒状物をさらに数回押すことが必要であった。
溶性澱粉の添加量を、１ｇにしたときも上記と同様の結果が得られた。また、あらかじめメタノールに澱粉を加えておき、この溶液を反応遅延性石灰に加えて攪拌したときも同様の結果が得られた。
【図面の簡単な説明】
【００５９】
【図１】本発明の反応遅延性生石灰の製造方法の一実施の形態を示す工程図である。
【図２】図１に示す本発明の製造方法に用いる反応遅延性生石灰の構成を拡大して示す断面図である。
【図３】図１に示す本発明の製造方法にて製造される本発明の反応遅延性生石灰の生成過程の構成を拡大して示す断面図である。
【図４】図１に示す本発明の製造方法にて製造される本発明の反応遅延性生石灰の生成過程の構成を拡大して示す断面図である。
【図５】図１に示す本発明の製造方法にて製造された本発明の反応遅延性生石灰の構成を拡大して示す断面図である。
【図６】本発明の反応遅延性生石灰を用いた油汚染土壌の処理システムの一実施の形態を示す正面図である。
【図７】図６に示す油汚染土壌の処理システムを構成する第１の処理機の一実施の形態を拡大して示す正面図である。
【図８】図７に示す油汚染土壌の処理システムを構成する第１の処理機の一実施の形態の主要構成部分を示す正面図である。
【符号の説明】
【００６０】
１      反応遅延性生石灰
２      澱粉
２Ａ    長鎖状の分子
１０    生石灰の粒子
１１    脂肪酸
１１Ａ  脂肪酸１１の外表層
【図１】
2005126266.tif 000003
【図２】
2005126266.tif 000004
【図３】
2005126266.tif 000005
【図４】
2005126266.tif 000006
【図５】
2005126266.tif 000007
【図６】
2005126266.tif 000008
【図７】
2005126266.tif 000009
【図８】
2005126266.tif 000010